(57)【要約】光磁気ディスクの駆動装置は、カートリッジ上部に磁気ヘッドの昇降機構を有するため、薄型化が困難であるという課題がある。ディスクカートリッジ１の、磁気ヘッド１０を挿入する開口部１ａ，１ｂに切り欠き部１ｅと凹み部１ｃ，１ｄを形成する。カートリッジホルダ９の上面に摺動可能に取り付けられたスライド板１４と、スライド板１４上に回動可能に支持されたリフト部材１６と、スライド板１４を所定量だけ並行移動させる駆動手段１７を備え、磁気ヘッド１０のリフトアップをディスクカートリッジ１の開口部１ａ，１ｂに入り込むリフト部材１６の移動によって行う。
2003036646.tif 000002
【特許請求の範囲】
【請求項１】
情報信号が記録されるディスクを回動自在に収納するカートリッジケースと、
シャッターとを備え、
前記カートリッジケースの第１の主面には、前記ディスクへの記録及び／又は再生のための磁気ヘッドが挿入される、第１の開口部が設けられ、
前記カートリッジケースの第２の主面には、前記ディスクを回転駆動するスピンドルが挿入される第２の開口部が設けられ、
前記シャッターは、前記第１及び第２の開口部を閉塞または開放するものであり、
前記第１及び第２の開口部の周辺の前記シャッターの摺動範囲に相当する領域には、前記シャッターが前記カートリッジケースの厚さから突出しないように掘り込み部が形成され、
前記第１の開口部のディスクの内周側の１辺の前記掘り込み部の一部には、前記第１の開口部が広がる方向に、内周側凹み部が形成されているディスクカートリッジ。
【請求項２】
前記内周側凹み部は、前記掘り込み部の一部が切り欠かれることによって形成されている請求項１記載のディスクカートリッジ。
【請求項３】
前記第１の開口部のディスクの外周側の１辺の、少なくとも前記内周側凹み部に対応する位置の前記掘り込み部には、前記第１の開口部が広がる方向に、外周側凹み部が形成されている請求項１又は２記載のディスクカートリッジ。
【請求項４】
前記外周側凹み部は、前記掘り込み部が面取りされることにより形成されている請求項３記載のディスクカートリッジ。
【請求項５】
前記ディスクの中心部には、前記スピンドルが吸着するためのクランププレートが設けられ、前記カートリッジケースの内面には、前記クランププレートに対応する位置に凹部が形成され、前記第１の開口部の内周側凹部は、前記凹部と重ならない範囲に設けられている請求項１記載のディスクカートリッジ。
【発明の詳細な説明】
技術分野
本発明は、ディスク状の記録媒体に情報を記録及び再生を行うディスクカートリッジに関するもので、特に光磁気ディスクのディスクカートリッジに関するものである。
背景技術
従来、光磁気ディスクや光ディスクの如き記録媒体を用いて、情報信号の記録及び／又は再生を行うように構成された記録及び／又は再生装置が提案されている。また、上記記録媒体としては、上記光磁気ディスクや光ディスクをカートリッジケースに収納してディスクカートリッジとして構成されたものが提案されている。そして、上記記録及び／又は再生装置は上記記録媒体に対して情報信号の書き込み及び／又は読み出しを行うための、光ピックアップ及び磁気ヘッドを有して構成されている。
これらは、オーディオディスクやビデオディスク、又はコンピューターのデータ記憶装置に用いられる光ディスク装置として普及している。このような装置のなかで小径のディスクを用いたＭＤ（ミニディスク）装置が、オーディオディスク装置として小型化を図り、携帯に適した装置として普及している。ＭＤのようなオーディオ・ビデオ（ＡＶ）機器のみならず、パーソナルコンピューターの小型化及びポータブル化も急速に進み、光ディスク装置の一層の小型化及び薄型化が望まれている。
小型のディスクで、画像や動画を十分記録するのに必要な容量を得るためには、記録密度の向上が不可欠である。近年、光ディスクの記録密度の向上技術は急速に進歩し、特に光磁気ディスクでは、様々な超解像再生方式が開発されて、従来にない高記録密度が実現されている。
光磁気ディスクの駆動装置では、記録のための磁気ヘッドは板ばね状の支持部材の先端に保持され、ディスクカートリッジに設けられた開口部よりディスクの記録領域に臨み、光ピックアップと連結されて、光ピックアップと一体にディスクの半径方向に移送される。磁気ヘッドは、記録時にディスク表面に近接または摺動するよう支持部材によってディスク表面に押圧され、光ピックアップから照射されるレーザースポットの位置に、ディスクの裏側から所定の磁界を印加する。
再生時には光ピックアップのみで情報の読み取りを行うので、磁気ヘッドは不要である。通常、ディスク表面や磁気ヘッドの磨耗、損傷を防ぐため、磁気ヘッドが記録時のみディスクに接近または摺動させ、再生時にはディスク表面から離間して退避させる磁気ヘッド昇降機構が設けられる。
以下、このような従来の光磁気ディスクのディスクカートリッジと駆動装置について図を参照して説明する。図１１は従来のディスク駆動装置に用いるカートリッジである。図１２は、従来の駆動装置の構成を示す平面図、図１３はその横断面図である。（例えば特開平８−３６８００参照）
図１１において、ディスクカートリッジ３１は内部にディスク３２を回転自在に収納すると共に、光ピックアップ、スピンドルモータ及び磁気ヘッドが臨む開口部３３を有し、駆動装置にディスクカートリッジ３１が挿入される際、シャッター３４が挿入方向（矢印）と平行に移動して開口部３３を露出し、逆に駆動装置から取り出された状態では閉塞する。シャッター３４は、ディスクカートリッジ３１の両主面にある開口部３３を覆うように略コの字状の断面を持つ板状の部材であり、開口部３３の周辺のシャッター３４が移動する領域は、シャッター３４がディスクカートリッジ３１の厚さを超えないように掘り込み部３１１が形成されている。
図１２、図１３において、このようなディスク３２を収納したカートリッジ３１はホルダ３９に格納され、記録・再生が可能になる。
ホルダ３９は、シャーシ３５の奥部両端に設けられた回動軸３５１によって、回動し上昇可能に取り付けられている。
シャーシ３５には、ガイドシャフト３８が設けられ、光ピックアップ３７はガイドシャフト３８に沿って、移送モーター（図示せず）によりディスク３２の半径方向に移送される。シャーシ３５の中央部にはスピンドル（図示せず）が設けられ、スピンドルと光ピックアップ３７は、カートリッジ３１下部の開口部３３よりディスク３２に臨んでいる。
ホルダ３９の上面には窓部３９１が形成され、挿入されてきたディスクカートリッジ３１の上部の開口部３３とほぼ重なるようになっている。
磁気ヘッド４０はサスペンション４１の先端に取り付けられ、アングル４３によって、光ピックアップ３７と連結されており、これらは一体となってディスク３２の半径方向に移送される。アングル４３には同時に磁気ヘッドベース４２が設けられ、アングル４３の上部でディスク３２に平行に保持されつつ、板ばね５７によって、ディスク３２の方向に押さえられている。
この状態では、サスペンション４１が自然状態より上側にたわんで、磁気ヘッド４０が、ホルダ３９の上面の窓部３９１から、カートリッジ３１の開口部３３を通って、ディスク３２に接触して押圧される。これにより、磁気ヘッド４０は、ディスクに対して所定の押圧力をもって摺動し、光ピックアップ３７から照射されるビームスポットの位置に、磁界を与えて記録可能な状態となる。
ディスク３２の面ぶれなどによる、磁気ヘッドの上下位置や角度変動は、サスペンション４１の先端部のジンバルサスペンション部５３が変形して吸収される。磁気ヘッド４０がディスク３２に対して押圧される押圧力は、ディスク３２が大きくたわむことがないよう、ごくわずかな力に設定されるので、ジンバルサスペンション部５３は非常に剛性の低い、柔軟な構造となっている。
サスペンション４１は、磁気ヘッド４０をカートリッジ３１の開口部からディスク３２に接触するよう挿入させるため、アングル４３との取り付け面から、ディスク面までの段差に伴った、屈曲形状となっている。
ホルダ３９の上面には、スライド板４４がカートリッジ挿入方向に摺動可能に取り付けられており、スライド板４４の契合部４５１はホルダ３９の側面から、ホルダ３９の下面に到達しており、ホルダ３９の下方に設置された駆動機構（図示せず）により駆動される。
さらに、ホルダ３９上面には、リフト板４６が軸支されており、スライド板４４がホルダ奥側（図面上右側）へ駆動された際、スライド板４４の端に形成されたの傾斜した突起４５が、リフト板４６の突起部４７を持ち上げることによってリフト板４６は傾いて先端部が持ち上がる。
なお、リフト板４６は中央部４６２が両端部４６１より凹んでいる。リフト板４６の上部に位置する磁気ヘッドサスペンション４１は、ディスク３２の内周から外周のどの位置にあっても、リフト板４６が回動することによって持ち上げられ、磁気ヘッド１０がディスク３２から解離した状態（以下リフトアップ状態という）となる。通常、記録時のみ磁気ヘッドをディスクに当接させ、再生時には磁気ヘッドをリフトアップして、ディスクや磁気ヘッドの磨耗、損傷を防ぐようにしている。
図１４は磁気ヘッドをリフトアップした状態の平面図、図１５は磁気ヘッドをリフトアップした状態の横断面図である。図１４、図１５において、スライド板４４はホルダ３９下部に設置された駆動機構によりホルダ奥側に移動している。傾斜突起４５がリフト板４６の突起部４７の下にもぐりこむことによって、リフト板４６は軸周りに持ち上げられて傾き、磁気ヘッドサスペンション４１を上側に変形させて持ち上げている。この時、磁気ヘッドサスペンション４１の先端部は、磁気ヘッドベース４２の下面に当接して、ジンバルサスペンション５３部は逆に下向きに変形しており、磁気ヘッド４０および磁気ヘッドサスペンション４１はカートリッジ３１上面と磁気ヘッドベース４２の間に収納された状態となる。
磁気ヘッド先端部を磁気ヘッドベース４２に当接させるのは、磁気ヘッド先端部が磁気ヘッドベースの高さ以上に突出して装置全体の厚さを増加させるのを防ぐと共に、リフトアップ時に落下衝撃などの外力により磁気ヘッドサスペンション４１が変形するのを防止するためである。
しかしながら、従来の構成のディスクカートリッジ及びディスク駆動装置では、以下のような課題がある。
図１３、図１５に示すように、寸法Ｄで示される装置の厚さは、シャーシ３５部の厚さ、カートリッジ３１の厚さ、および、カートリッジ３１上部の磁気ヘッド昇降機構の厚さの合計で決まる。リフト板４６のリフト量Ｌは、磁気ヘッド４０をカートリッジ上部の磁気ヘッドベース４２に当接するまで持ち上げるためには、少なくとも、カートリッジ上面とディスク面の段差Ｈ以上のリフト量が必要である。
ところで、この寸法Ｄを小さくするため段差Ｈを小さくする、すなわち、リフト量Ｌを小さくすることが考えられるが、リフト量Ｌを必要以上小さくすると、磁気ヘッド４０をディスク３２の面に降下させた状態で、リフト板４６の中央部４６２と磁気ヘッドサスペンション４１との隙間Ｓが十分取れず、記録中にリフト板４６の中央部４６２が磁気ヘッドサスペンション４１に接触する恐れがある。従って、リフト量Ｌを十分大きく取る必要があり、寸法Ｄが大きくなり、装置全体を薄型化できない。
また、磁気ヘッドの昇降動作を行うための駆動機構をホルダ上部に設けると、装置の厚さが大幅に増大し、前述の従来例のようにカートリッジ下部に設けても、装置の厚さは駆動機構の厚さに制約されて、スピンドルや光ピックアップをいくら薄型化しても装置全体の薄型化が困難になる。また、カートリッジ下部から、上部に位置するリフト板まで動力を伝達する必要があり、構造が複雑になる。
発明の開示
本発明は、上記課題を解決するもので、簡単な構成で確実に磁気ヘッドの昇降動作を行い、ディスク駆動装置の小型薄型化を図ることを目的としている。
第１の本発明は、情報信号が記録されるディスクを回動自在に収納するカートリッジケースと、
シャッターとを備え、
前記カートリッジケースの第１の主面には、前記ディスクへの記録及び／又は再生のための磁気ヘッドが挿入される、第１の開口部が設けられ、
前記カートリッジケースの第２の主面には、前記ディスクを回転駆動するスピンドルが挿入される第２の開口部が設けられ、
前記シャッターは、前記第１及び第２の開口部を閉塞または開放するものであり、
前記第１及び第２の開口部の周辺の前記シャッターの摺動範囲に相当する領域には、前記シャッターが前記カートリッジケースの厚さから突出しないように掘り込み部が形成され、
前記第１の開口部のディスクの内周側の１辺の前記掘り込み部の一部には、前記第１の開口部が広がる方向に、内周側凹み部が形成されているディスクカートリッジである。
第２の本発明は、前記内周側凹み部は、前記掘り込み部の一部が切り欠かれることによって形成されている第１の本発明に記載のディスクカートリッジである。
第３の本発明は、前記第１の開口部のディスクの外周側の１辺の、少なくとも前記内周側凹み部に対応する位置の前記掘り込み部には、前記第１の開口部が広がる方向に、外周側凹み部が形成されている第１又は２の本発明に記載のディスクカートリッジである。
第４の本発明は、前記外周側凹み部は、前記掘り込み部が面取りされることにより形成されている第３の本発明に記載のディスクカートリッジである。
第５の本発明は、前記ディスクの中心部には、前記スピンドルが吸着するためのクランププレートが設けられ、前記カートリッジケースの内面には、前記クランププレートに対応する位置に凹部が形成され、前記第１の開口部の内周側凹部は、前記凹部と重ならない範囲に設けられている第１の本発明に記載のディスクカートリッジである。
このような構成の本発明によれば、例えば以下のような効果を発揮できる。
磁気ヘッドサスペンションの幅を狭めることなく、リフト部材を開口部に落とし込むことができる。
カートリッジ厚さを増やすことなく、開口部の一部を広げることができる。
カートリッジ上部に大きな厚さを必要とせず、ドライブの薄型化が可能となる。
リフト部材を簡単で安価に構成でき、また簡単な構成でリフト部材の姿勢移動を確実に動作させることができる。
磁気ヘッドサスペンションの幅を狭めることなく、リフト部材を開口部に落とし込むことができる。
磁気ヘッドがリフトアップ時に完全にカートリッジ上部に退避しなくても、カートリッジ交換時にはカートリッジと接触することなく、スムーズなカートリッジ交換が可能となる。従って、カートリッジ上部に必要なスペースを最小限に抑えられ、装置を薄型化できる。
発明を実施するための最良の形態
以下、本発明の実施の形態について、図を用いて説明する。図１、図２は本発明のディスクカートリッジの実施例を示す斜視図であり、図１は第１の主面側を図２は第２の主面側を示す。図３は、本発明のディスクカートリッジの断面図である。
図１、図２において、ディスクカートリッジ１の駆動装置への挿入先端部３はディスク２を内包する曲線で構成されており、他の部分は略方形の形状となっている。
ディスクカートリッジ１は内部にディスク２を回転自在に収納すると共に、第１の主面に磁気ヘッドが挿入される開口部１ａ、第２の主面には光ピックアップとスピンドルモータが挿入される開口部１ｂを有し、駆動装置にディスクカートリッジ１が挿入される際、シャッター４が挿入方向と平行に移動されて開口部を露出し、駆動装置から取り出された状態では閉塞する。
シャッター４は、ディスクカートリッジ１の両主面の開口部１ａ、１ｂを覆うように略コの字状の断面を持つ板状の部材であり、開口部１ａ、１ｂの周辺のシャッター４が移動する領域は、シャッター４がディスクカートリッジ１の厚さを超えないように掘り込み部１ｃ、１ｄが形成されている。
第１の主面の開口部１ａの、ディスク２の内周側の１辺には、掘り込み部１ｃの一部を切り欠く形で、切り欠き部１ｅが形成されている。この切り欠き部１ｅは、本発明の内周側凹部の一例である。また、開口部１ａの、ディスク２の外周側の１辺には、開口部が広がる方向に面取り１ｆが形成されている。この面取り１ｆは、本発明の外周側凹部の一例である。
切り欠き部１ｅはシャッター４によって完全に覆われるので、シャッター４の閉塞時には開口部に隙間があくことはない。また、ディスクカートリッジ１の外観を損ねることもない。開口部１ａをこのような形状とすることによって、開口部１ａのディスク半径方向の長さを部分的に広く取ることができる。
図３において、ディスク２の中心部は、センターホール２ａの周辺が下側に突出していると共に、その上に磁性体のクランププレート２ｂが組み込まれており、部分的に厚い形状となっている。ディスク２がディスクカートリッジ１内で接触することなく回転されるには、ディスクカートリッジ１内に適当な空隙が必要であり、ディスクカートリッジ１の内面に凹部１ｇを設けて、中心部の空隙を確保しつつ、ディスクカートリッジ１の厚さを薄く抑えている。
他方、開口部１ａは、後述するように、磁気ヘッドを挿入するためにできるだけ広く設けるのが望ましいが、そのためシャッター４をディスクの内周側の方へ長くすると、掘り込み部１ｃが内面の凹部１ｇと重なてしまう。そこで、この部分の肉厚をあつくすると、ディスクカートリッジ１の厚さが厚くなってしまう。しかしながら、前述の切り欠き部１ｅは、一部分に過ぎないから凹部１ｇとは重ならないため、このような問題を起こさず、開口部１ａを一部と言えども広くできる。
次に、本発明のディスク駆動装置の実施例について説明する。図４は本発明のディスク駆動装置の構成を示す斜視図、図５は磁気ヘッド昇降機構の分解斜視図である。図４、図５において、シャーシ５にはその中心部にスピンドルモータ６が固定され、ディスクカートリッジ１に内蔵されるディスク２を回転駆動する。光ピックアップ７はディスク２に記録された情報信号の書き込み及び／又は読み出しを行うため、シャーシ５に固定されたガイドシャフト８（図７参照）に沿ってディスク２の内外周を移動可能に保持されている。
シャーシ５の上部にはシャーシ５の奥部両端に設けられた回動軸周りに回動可能にホルダ９が取り付けられる。カートリッジ１を装着後、ホルダ９が回動降下すると、ディスク２が記録・再生可能な状態となる（図１０参照）。
磁気ヘッド１０は、従来例と同様に、サスペンション１１の先端に設けられ、磁気ヘッドベース１２と共に、アングル１３によって光ピックアップ７と連結されている。磁気ヘッドベース１２は、板ばね２７（図６参照）によりディスク２側に付勢されて、ディスク２と平行に支持され、従来例よりも低い位置に取り付けられている。その理由は後述する。
ホルダ９上面には、スライド板１４が、カートリッジ１の挿入方向と平行に摺動可能に取り付けられ、スライド板１４に設けられた一対の軸受け部１５に、折り曲げられた形状を有するリフト部材１６が回動可能に取り付けられる。スライド板１４は、駆動装置の角部に配置された駆動手段１７によって駆動される。駆動手段１７は、昇降モーター１８、減速機構１９、駆動アーム２０から成る。昇降モーター１８の回転は減速機構１９のギア列によって減速される。ギア列の最終段にはカムが設けられ、駆動アーム２０のカム溝に契合している。
このような構成によって、昇降モーターの一方向の回転により、駆動アーム２０は往復回動する。駆動アーム２０の先端は、スライド板１４の契合フック２１と契合している。これにより、昇降モーター１８の回転によりスライド板１４をリフト部材１６と共に前後に摺動させる。
光ピックアップ７が磁気ヘッド１０と共にディスク２の最外周側へ送られた時、アングル１３は昇降モーター１８の横まで到達し、減速機構１９はアングル１３の下にもぐりこむ形となる。
リフト部材１６はワイヤ状の部材を屈曲して形成し、軸部１６ａ、平坦部１６ｂ、下方へ傾斜している傾斜部１６ｃ、当接部１６ｄ、腕部１６ｅから成る。軸部１６ａはスライド板に設けられた一対の軸受け部１５に支持され、妨害物が何もない状態では、平坦部１６ｂは、押さえばね２２によってスライド板１４の棚部１４ａに当接するよう付勢され、傾斜部１６ｃはスライド板１４から下方に向かって下がり、当接部１６ｄはスライド板１４の下方一定の高さに保持される。
リフト部材１６の当接部１６ｄは、サスペンション１１のすぐ下に位置し、スライド板１４が最も奥へ移動した時は、サスペンション１１に接触しない位置にあって、この時磁気ヘッド１０はディスク２に当接する（図７参照）。図４では、スライド板１４は最も手前に位置した状態であり、この時傾斜部１６ｃはホルダ９の上面の開口９ａの両横に形成された張り出し部９ｂに乗り上げて、リフト部材１６が上方へ回動し、当接部１６ｄが上昇してサスペンション１１を押し上げ、磁気ヘッド１０はカートリッジ１の上部に退避した位置にある。
さらに、ホルダ９側面には、本発明のリンク部材の一例としての、ホルダリンク２４が設けられている。ホルダリンク２４の一端２４１はシャーシ５に連結されており、ホルダリンク２４の側面の一部は、ホルダ９側面の契合突起９ｃと契合している。さらに、ホルダリンク２４の先端部には突起２５が形成され、ホルダ９がシャーシ５と平行位置にある時は突起２５はホルダ９側面に突き出たリフト部材１６の腕部１６ｅの下にあって非接触状態にあり、ホルダ９が回動上昇した状態では、ホルダリンク２４の先端部が起き上がり、突起２５はリフト部材１６の腕部１６ｅに当接してリフト部材１６を持ち上げる。これによって、ホルダ９が上昇した位置では、サスペンション１１あｈ、最も上の位置になる（図１０参照）。
図６は磁気ヘッドが降下した状態の本発明のディスク駆動装置の平面図、図７はその縦断面図である。ディスクカートリッジ１が装着され、昇降モーター１８によってスライド板１４が最も奥まで移動すると、リフト部材１６はサスペンション１１と接触しない位置まで後退し、磁気ヘッド１０がディスク２の面まで降下する。
この時、リフト部材１６の当接部１６ｄはディスクカートリッジ１の開口部１ａに入り込み、ディスク２とサスペンション１１の間に位置する。ここで、切り欠き部１ｅと面取り１ｆによって、当接部１６ｄはディスクカートリッジ１の開口部１ａのエッジに接触することなく且つ磁気ヘッド１０のサスペンション１１が内周から外周まで移動する範囲の長さを確保することができる。従来、当接部１６ｄに対応するリフト板部４６の中央部４６２がホルダ３９の窓部３９１の所までしか下降できなかったのに比べて、当接部１６ｄはカートリッジ１の開口部１ａの中まで下降している。よって、当接部１６ｄとサスペンション１１との間の間隔は充分とれるので、リフト量を小さくして装置をより薄型化できる。
すなわち、磁気ヘッドベース１２は、ディスクカートリッジ１とリフト部材１６がサスペンション１１と接触しない最小限の隙間を確保できる高さに設けられ、従来例よりも低い位置にある。これにより装置厚さが抑えられる。
図８は磁気ヘッドをリフトアップした状態の本発明のディスク駆動装置の平面図、図９はその横断面図である。昇降モーター１８を回転させ、駆動アーム２０の動きによってスライド板１４が最も手前に移動すると、それと共にリフト部材１６も前進し、同時に傾斜部１６ｃがホルダ９の張り出し部９ｂに乗り上げて当接部１６ｄが上昇し、サスペンション１１と接触して、磁気ヘッド１０を持ち上げる。磁気ヘッド１０は、ジンバルサスペンション部２３の近くでリフト板１６に支えられ、先端部は磁気ヘッドベース１２に当接する。
サスペンション１１は、リフト板１６と磁気ヘッドベース１２の間の厚さで屈曲して、カートリッジ上部に退避した状態となる。磁気ヘッドベース１２が低い位置に設けられているため、カートリッジ上部に必要な厚さ寸法が低減される。この時、磁気ヘッド１０の一部はカートリッジ１の開口部１ａの中に入り込んでいてもよい。
磁気ヘッド１０先端が磁気ヘッドベース１２に押圧されており、かつ、サスペンション１１の先端に近い位置でリフト板１６に支えられているので、外部からの衝撃に強く、リフトアップ時の、ディスクへの衝突やサスペンションの変形は避けられる。
図１０は、ホルダを回動上昇した状態の本発明のディスク駆動装置の横断面図である。カートリッジ１を交換する際は、ホルダ９をシャーシ５の奥部に設けられた軸周りに回動上昇させる。スライド板１４は、図８，図９に示すように、磁気ヘッド１０をリフトアップした位置にある。ホルダ９が回動すると、ホルダ９側面に設けられたホルダリンク２４が起き上がり、突起部２５がリフト部材１６の腕部１６ｅをさらに持ち上げる。これにより、リフトアップ時に磁気ヘッド１０の一部がカートリッジ１の開口部１ａの中に入り込む位置にあっても、図１０に示すように、カートリッジ交換時には磁気ヘッド１０がさらに持ち上がって、カートリッジ１の上部に完全に退避した状態となり、カートリッジ１と磁気ヘッド１０の接触を防ぐことができる。
次に、本発明者が発明した発明であり、上述した本発明に関連するディスク駆動装置の発明を説明する。
すなわち、第１の発明は、シャーシと、
情報信号が記録されるディスクを収納したディスクカートリッジを格納するための、前記シャーシに回動可能に取り付けられたホルダと、
前記ディスクを回転駆動するスピンドルモータと、
前記ディスクに対して、情報信号の記録及び／又は再生を行う磁気ヘッドと、
前記磁気ヘッドを支持するサスペンションと、
前記サスペンションを前記ディスクの半径方向に移動させるアングルと、
前記ホルダの上面に、前記ディスクと平行に移動可能に取り付けられたスライド板と、
前記サスペンションの下方に配置され、前記スライド板の前記移動動作に連動して、上下動するリフト部材と、
前記スライド板を移動させる駆動手段とを備え、
前記カートリッジケースの第１の主面には、前記ディスクへの記録及び／又は再生のための磁気ヘッドが挿入される、第１の開口部が設けられ、
前記ホルダの、前記第１の開口部に対応する位置には窓部が設けられ、
前記リフト部材が上方の第１の位置へ移動した場合には、前記リフト部材の一部は、前記サスペンションの下部と接触して、前記磁気ヘッドを上方へ持ち上げ、
前記リフト部材が下方の第２の位置へ移動した場合には、前記リフト部材の一部は前記サスペンションの下部と離隔し、前記磁気ヘッドは前記ディスクへ当接し、
前記リフト部材が移動する第２の位置とは、前記リフト部材の一部が、前記ディスクカートリッジの１主面に設けられた第１の開口部内に進入した位置である、ディスク駆動装置である。
また、第２の発明は、前記リフト部材は、ワイヤ状の部材を屈曲させて形成した部材であり、前記サスペンションと当接する当接部と、その両側に形成した傾斜部と、それらに続いて形成した平坦部と、さらにそれらの両側に設けられた軸部とを有し、その軸部によって、前記スライド板に回動可能に取り付けられており、
前記スライド板の摺動によって前記リフト部材が前記第２の位置に存在する状態では、
前記ホルダの窓部及び前記第１の開口部内に、前記当接部と、前記傾斜部とが入り込み、前記平坦部は、前記スライド板の一部に当接しており、
前記スライド板の摺動によって前記リフト部材が前記第１の位置に存在する状態では、
前記傾斜部が前記ホルダの窓部の縁部に形成された張り出し部に当接させられることによって、リフト部材が押し上げられて回動し、前記当接部が上昇し、前記サスペンションを持ち上げている上記第１の発明のディスク駆動装置である。
第３の発明は、前記ディスクカートリッジが、上述したいずれかの本発明にかかるディスクカートリッジであり、
前記リフト部材が前記第２の位置にある時には、前記リフト部材の一部は、前記カートリッジケースの前記開口部内に進入し、前記ディスクの内周側凹部へ入りこみ、前記カートリッジケースに接触しないよう配置される第１の発明のディスク駆動装置である。
第４の発明は、前記リフト部材は、さらに前記軸部の外側の少なくとも片方に腕部を有し、
前記シャーシの一部と前記ホルダの一部の間には、回動可能な状態でリンク部材が取り付けられており、
前記ホルダが前記シャーシ側に降下した状態では前記リンク部材の一部が前記リフト部材の腕部に接触せず、
前記カートリッジ交換時に前記ホルダが回動上昇した状態では、前記リンク部材の一部が前記腕部に当接して、前記サスペンションをさらに押し上げる第２の発明のディスク駆動装置である。
産業上の利用可能性
本発明によると、磁気ヘッドサスペンションの幅を狭めることなく、リフト部材を開口部に落とし込むことができる。
また、第１の開口部の内周側に設けられた切り欠き部は、ディスクの中心部のクランププレートに対応する位置に形成された、カートリッジケース内面の凹部と重ならない範囲に設けた場合は、カートリッジ厚さを増やすことなく、開口部の一部を広げることができる。
また、ホルダの上面に摺動可能に取り付けられたスライド板と、スライド板上に回動可能に支持されたリフト板と、スライド板を所定量だけ並行移動させる駆動手段を備え、磁気ヘッドのリフトアップをディスクカートリッジの開口部に入り込むリフト部材の移動によって行うようにした場合は、カートリッジ上部に大きな厚さを必要とせず、ドライブの薄型化が可能となる。
また、リフト部材を簡単で安価に構成でき、また簡単な構成でリフト部材の姿勢移動を確実に動作させることができる。
また、磁気ヘッドサスペンションの幅を狭めることなく、リフト部材を開口部に落とし込むことができる。
また、リフト部材が、ホルダと連動したリンク部材により押し上げられて、ホルダの回動動作と同時にさらに持ち上がるようにした場合は、磁気ヘッドがリフトアップ時に完全にカートリッジ上部に退避しなくても、カートリッジ交換時にはカートリッジと接触することなく、スムーズなカートリッジ交換が可能となる。従って、カートリッジ上部に必要なスペースを最小限に抑えられ、装置を薄型化できる。
【図面の簡単な説明】
図１は、本発明のディスクカートリッジの実施例の第１の主面側を示す斜視図である。
図２は、本発明のディスクカートリッジの実施例の第２の主面側を示す斜視図である。
図３は、本発明のディスクカートリッジの断面図である。
図４は、本発明に関連するディスク駆動装置の構成を示す斜視図である。
図５は、本発明に関連する磁気ヘッド昇降機構の分解斜視図である。
図６は、磁気ヘッドが降下した状態の本発明に関連するディスク駆動装置の平面図である。
図７は、磁気ヘッドが降下した状態の本発明に関連する駆動装置の横断面図である。
図８は、磁気ヘッドをリフトアップした状態の本発明に関連するディスク駆動装置の平面図である。
図９は、磁気ヘッドをリフトアップした状態の本発明に関連するディスク駆動装置の横断面図である。
図１０は、ホルダを回動上昇した状態の本発明に関連するディスク駆動装置の横断面図である。
図１１は、従来のディスクカートリッジを示す斜視図である。
図１２は、従来の駆動装置の構成を示す平面図である。
図１３は、従来の駆動装置の構成を示す横断面図である。
図１４は、磁気ヘッドをリフトアップした状態の従来の駆動装置を示す平面図である。
図１５は、磁気ヘッドをリフトアップした状態の従来の駆動装置を示す横断面図である。
（符号の説明）
１  ディスクカートリッジ
１ａ，１ｂ  開口部
１ｃ，１ｄ  掘り込み部
１ｅ  切り欠き部
１ｆ  面取り
２  ディスク
３  カートリッジ先端部
４  シャッター
５  シャーシ
６  スピンドルモータ
７  光ピックアップ
８  ガイドシャフト
９  ホルダ
９ａ  張り出し部
１０  磁気ヘッド
１１  サスペンション
１２  磁気ヘッドベース
１３  アングル
１４  スライド板
１５  軸受け部
１６  リフト部材
１７  駆動手段
１８  昇降モーター
１９  減速機構
２０  駆動アーム
２１  契合フック
２２  押さえばね
２３  ジンバルサスペンション部
２４  ホルダリンク
２５  突起
【図１】
2003036646.tif 000003
【図２】
2003036646.tif 000004
【図３】
2003036646.tif 000005
【図４】
2003036646.tif 000006
【図５】
2003036646.tif 000007
【図６】
2003036646.tif 000008
【図７】
2003036646.tif 000009
【図８】
2003036646.tif 000010
【図９】
2003036646.tif 000011
【図１０】
2003036646.tif 000012
【図１１】
2003036646.tif 000013
【図１２】
2003036646.tif 000014
【図１３】
2003036646.tif 000015
【図１４】
2003036646.tif 000016
【図１５】
2003036646.tif 000017
【国際調査報告】
2003036646.tif 000018
2003036646.tif 000019